Podtech/llm-jp-corpus-v4-ja_patent huggingface dataset:
【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
複数の画素を有する固体撮像素子であって、
前記複数の画素のそれぞれが、
光子の受光に応じてパルス信号を発するセンサ部と、
前記センサ部から発せられる前記パルス信号が入力されるローパスフィルタと、
前記ローパスフィルタの出力と閾値とを比較する比較器と、
発光部が光を発しない際に前記センサ部から発せられる前記パルス信号のパルス数をカウントする第１のモードでの動作と、所定信号のパルス数をカウントする第２のモードであって、該パルス数が前記発光部から光が発せられたタイミングからの経過時間に依存する第２のモードでの動作とを選択的に切り換えるように構成されたカウンタと、を有し、
前記カウンタは、前記第２のモードで動作する場合、前記発光部から光が発せられたタイミングから前記比較器の出力が反転するタイミングまでの前記所定信号のパルス数をカウントする、
ことを特徴とする固体撮像素子。
【請求項２】
前記カウンタが前記第１のモードで動作する場合においては、前記センサ部から発せられる前記パルス信号が前記カウンタに供給されるように設定され、前記カウンタが前記第２のモードで動作する場合においては、前記所定信号が前記カウンタに供給されるように設定されるスイッチを更に有する請求項１に記載の固体撮像素子。
【請求項３】
前記複数の画素のうちの第１の画素には、第１の透過波長域を備える第１のカラーフィルタが備えられ、
前記複数の画素のうちの第２の画素には、前記第１の透過波長域とは異なる第２の透過波長域を備える第２のカラーフィルタが備えられ、
前記第１の透過波長域に含まれる波長の光が前記発光部から発せられた際には、前記第１の画素に備えられた前記カウンタを前記第２のモードで動作させるとともに、前記第２の画素に備えられた前記カウンタを前記第１のモードで動作させ、
前記第２の透過波長域に含まれる波長の光が前記発光部から発せられた際には、前記第２の画素に備えられた前記カウンタを前記第２のモードで動作させるとともに、前記第１の画素に備えられた前記カウンタを前記第１のモードで動作させることを特徴とする請求項１又は２に記載の固体撮像素子。
【請求項４】
前記複数の画素のうちの第１の画素には、所定波長域の可視光を透過するとともに赤外光を透過しない第１のカラーフィルタが備えられ、
前記複数の画素のうちの第２の画素には、赤外光を透過する第２のカラーフィルタが備えられ、
前記発光部からは赤外光が発せられることを特徴とする請求項１又は２に記載の固体撮像素子。
【請求項５】
前記複数の画素のうち、所定の領域に位置する画素に備えられた前記カウンタを前記第２のモードで動作させ、前記複数の画素のうち、前記所定の領域以外の領域に位置する画素に備えられた前記カウンタを前記第１のモードで動作させることを特徴とする請求項１から４のいずれか１項に記載の固体撮像素子。
【請求項６】
前記カウンタが前記第１のモードで動作する場合、前記ローパスフィルタと前記比較器に供給する電力を制限することを特徴とする請求項５に記載の固体撮像素子。
【請求項７】
前記カウンタが前記第１のモードで動作した際に得られたカウント値を、前記比較器の出力に基づいて補正する補正手段を更に備えることを特徴とする請求項１又は６に記載の固体撮像素子。
【請求項８】
複数の画素を有する固体撮像素子と、
前記固体撮像素子から出力される信号を処理する信号処理手段と、を有する撮像装置であって、
前記複数の画素のそれぞれが、
光子の受光に応じてパルス信号を発するセンサ部と、
前記センサ部から発せられる前記パルス信号が入力されるローパスフィルタと、
前記ローパスフィルタの出力と閾値とを比較する比較器と、
発光部が光を発しない際に前記センサ部から発せられる前記パルス信号のパルス数をカウントする第１のモードでの動作と、所定信号のパルス数をカウントする第２のモードであって、該パルス数が前記発光部から光が発せられたタイミングからの経過時間に依存する第２のモードでの動作とを選択的に切り換えるように構成されたカウンタと、を有し、
前記カウンタは、前記第２のモードで動作する場合、前記発光部から光が発せられたタイミングから前記比較器の出力が反転するタイミングまでの前記所定信号のパルス数をカウントする、
ことを特徴とする撮像装置。
【請求項９】
前記信号処理手段は、前記カウンタが前記第１のモードで動作した際に得られたカウント値を、前記比較器の出力に基づいて補正することを特徴とする請求項８に記載の撮像装置。
【請求項１０】
前記信号処理手段は、前記カウンタが前記第１のモードで動作した際に得られたカウント値に基づいて画像を生成し、前記カウンタが前記第２のモードで動作した際に得られたカウント値に基づいて被写体までの距離を算出することを特徴とする請求項８又は９に記載の撮像装置。
【請求項１１】
複数の画素を有する固体撮像素子と、ここで、前記複数の画素のそれぞれは、光子の受光に応じてパルス信号を発するセンサ部と、前記センサ部から発せられる前記パルス信号が入力されるローパスフィルタと、前記ローパスフィルタの出力と閾値とを比較する比較器と、カウンタとを有する、固体撮像素子と、
被写体を撮像する第１のモードでの動作と、前記被写体までの距離に関する情報を取得する第２のモードでの動作とを選択的に切り換えるように前記固体撮像素子を駆動ならびに制御する制御手段と、を有し、
前記第１のモードにおいて、前記制御手段は、発光部が光を発しない際に前記センサ部から発せられる前記パルス信号のパルス数をカウントするように前記カウンタを制御し、
前記第２のモードにおいて、前記制御手段は、所定信号のパルス数をカウントするように前記カウンタを制御し、ここで、該パルス数は前記発光部から光が発せられたタイミングからの経過時間に依存し、
前記第２のモードにおいて、前記制御手段は、前記発光部から光が発せられたタイミングから前記比較器の出力が反転するタイミングまでの前記所定信号のパルス数をカウントするように前記カウンタを制御する、
ことを特徴とする撮像装置。
【手続補正２】
【補正対象書類名】明細書
【補正対象項目名】０００５
【補正方法】変更
【補正の内容】
【０００５】
実施形態の一観点によれば、複数の画素を有する固体撮像素子であって、複数の画素のそれぞれが、光子の受光に応じてパルス信号を発するセンサ部と、センサ部から発せられるパルス信号が入力されるローパスフィルタと、ローパスフィルタの出力と閾値とを比較する比較器と、発光部が光を発しない際にセンサ部から発せられるパルス信号のパルス数をカウントする第１のモードでの動作と、所定信号のパルス数をカウントする第２のモードであって、パルス数が発光部から光が発せられたタイミングからの経過時間に依存する第２のモードでの動作とを選択的に切り換えるように構成されたカウンタと、を有し、カウンタは、第２のモードで動作する場合、発光部から光が発せられたタイミングから比較器の出力が反転するタイミングまでの所定信号のパルス数をカウントする、ことを特徴とする固体撮像素子が提供される。
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
聴覚機器用のイヤーピースであって、
外耳道部と中間部とを有し、前記外耳道部は前記イヤーピースの外耳道軸に沿って延在し、前記外耳道軸は前記イヤーピースの外耳道平面に対して直交し、前記外耳道部は第１端を有し、前記中間部は第１端と第２端とを有して中間軸に沿って延在するイヤーピースハウジングと、
前記中間部に接続された第１端を有し、前記外耳道平面に対して、５°から４５°の範囲内の第１導出角度を成すケーブル導出軸に沿って前記中間部から導出されるケーブルであって、前記ケーブル導出軸は、前記中間軸が直交する中間平面に対して、３５から５０°の範囲内の第２導出角度を成す、ケーブルと、を備え、
前記中間軸は、前記外耳道軸に対して、７５から８５°の範囲内の第１中間角度を成す、ことを特徴とするイヤーピース。
【請求項２】
前記中間軸を前記外耳道平面に投影したものと、前記ケーブル導出軸を前記外耳道平面に投影したものとの間の角度は、３０から６０°の範囲内である、請求項１に記載のイヤーピース。
【請求項３】
前記第１中間角度は、約８０である、請求項１または２に記載のイヤーピース。
【請求項４】
前記外耳道平面に投影された前記導出軸と前記外耳道軸との間の距離は、２ｍｍから１５ｍｍの範囲内である、請求項１、２または請求項２に従属する請求項３に記載のイヤーピース。
【請求項５】
前記イヤーピースハウジング内に配置されるマイクロホンをさらに備え、前記イヤーピースハウジングは前記外耳道軸からの距離が３ｍｍ未満の第１マイクロホン開口部を有する、請求項１から４のいずれか一項に記載のイヤーピース。
【請求項６】
保護要素をさらに備え、前記保護要素は発泡ポリマを含み、前記外耳道部を取り囲むことで、外耳道壁と前記外耳道部との間を密閉する、請求項１から５のいずれか一項に記載のイヤーピース。
【請求項７】
前記中間部の長さは、３ｍｍから３０ｍｍの範囲内である、請求項１から６のいずれか一項に記載のイヤーピース。
【請求項８】
前記中間部の高さは、３ｍｍから２０ｍｍの範囲内である、請求項１から７のいずれか一項に記載のイヤーピース。
【請求項９】
前記イヤーピースハウジングは第１部位と第２部位とを有し、前記第１部位は前記外耳道部と前記中間部の一部とを形成し、前記第２部位は前記中間部の他部を形成し、前記第１および第２部位は、接合線に沿って組付けられ、前記接合線は接合平面法線を有する接合平面上に少なくとも部分的に延在し、前記中間軸と前記接合平面法線との間の角度は、７５から１０５°の範囲内である、請求項１から８のいずれか一項に記載のイヤーピース。
【請求項１０】
前記ケーブルは、前記中間部の前記第１端からのケーブル導出距離を８ｍｍ未満として、前記中間部から導出される、請求項１から９のいずれか一項に記載のイヤーピース。
【請求項１１】
前記第１導出角度は、１０から３０°の範囲内である、請求項１から１０のいずれか一項に記載のイヤーピース。
【請求項１２】
前記第１導出角度は、１８から２５°の範囲内である、請求項１１に記載のイヤーピース。
【請求項１３】
処理部と、請求項１から１２のいずれか一項に記載のイヤーピースとを備え、前記ケーブルは、その第２端に、前記イヤーピースに前記処理部を接続するためのコネクタを有する、聴覚機器。
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
スマート電気プラグであって、
ライブ（Ｌ）線、ニュートラル（Ｎ）線、及びグランド（Ｇ）線を含む電力源に電気的に接続するように構成された、電気入力カプラと、
第１の電気出力ソケットと、
第２の電気出力ソケットと、
前記第１の電気出力ソケットを通る第１の電流及び前記第２の電気出力ソケットを通る第２の電流を示す少なくとも１つの信号を生成するように構成された、電流センサ構成と、
前記電気入力カプラでの電圧を示す第１の信号を提供するように構成された、分圧器電気回路と、
前記電圧及び前記少なくとも１つの信号に基づいて、前記第１の電気出力ソケットを通じて消費された第１の電力及び前記第２の電気出力ソケットを通じて消費された第２の電力を示す測定電力を測定するように構成された、電力測定デバイスと、
前記電力測定デバイスに電気的に結合され、前記測定電力を示す通信信号を伝送するように構成された、通信インターフェースと、
少なくとも一つのユニバーサルシリアルバス（ＵＳＢ）充電ソケットと、
前記少なくとも一つのＵＳＢ充電ソケットの電気出力を制御するように構成されているＵＳＢポートコントローラと、
前記スマート電気プラグの内部温度が第１の所定の温度を超えるときを検出し、当該検出に応じて前記ＵＳＢポートコントローラへの第２の信号を生成し、前記内部温度が前記第１の所定の温度を超えた後に第２の所定の温度よりも低く下がるとき第３の信号を生成するように構成された温度スイッチと、
を備えており、
前記ＵＳＢポートコントローラは、前記第２の信号を前記温度スイッチから受け取った場合に、前記少なくとも一つのＵＳＢ充電ソケットの前記電気出力を遮断し、前記第３の信号を前記温度スイッチから受け取った場合に、前記少なくとも一つのＵＳＢ充電ソケットの電気出力を再開するように構成されている、スマート電気プラグ。
【請求項２】
前記電流センサ構成が、
前記第１の電流を示す第４の信号を生成するように構成された第１の電流センサと、
前記第２の電流を示す第５の信号を生成するように構成された第２の電流センサと、
を備える、請求項１に記載のスマート電気プラグ。
【請求項３】
前記第１及び第２の電流センサが、前記Ｌ線に結合される、請求項２に記載のスマート電気プラグ。
【請求項４】
前記第１及び第２の電流センサが、前記Ｎ線に結合される、請求項２に記載のスマート電気プラグ。
【請求項５】
前記電流センサ構成が、前記第１の電流と前記第２の電流との総和を直接検知し、前記総和を示す第４の信号を生成するように構成された単一の電流センサを備える、請求項１に記載のスマート電気プラグ。
【請求項６】
前記単一の電流センサが、前記Ｌ線に結合される、請求項５に記載のスマート電気プラグ。
【請求項７】
前記単一の電流センサが、前記Ｎ線に結合される、請求項５に記載のスマート電気プラグ。
【請求項８】
少なくとも２つのユニバーサルシリアルバス（ＵＳＢ）充電ソケットをさらに備える、請求項１に記載のスマート電気プラグ。
【請求項９】
前記第１及び第２の電気出力ソケットの合計最大定格電流がおよそ２０アンペアであり、
前記スマート電気プラグが、およそ１４９ｍｍ（長さ）×８８ｍｍ（幅）×３０ｍｍ（高さ）に等しい最大外寸を有する、請求項８に記載のスマート電気プラグ。
【請求項１０】
前記第１及び第２の電気出力ソケットのうちの１つの最大単一定格電流がおよそ１３アンペアである、請求項９に記載のスマート電気プラグ。
【請求項１１】
前記通信インターフェースが無線インターフェースを含む、請求項１に記載のスマート電気プラグ。
【請求項１２】
前記通信インターフェースが有線インターフェースを含む、請求項１に記載のスマート電気プラグ。
【請求項１３】
前記通信信号が前記スマート電気プラグの状態を示す、請求項１１に記載のスマート電気プラグ。
【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
連続するコドン最適化セクションと連続する非最適化セクションを含み、
前記連続するコドン最適化セクションが、キメラコラーゲンＤＮＡ配列の長さの４０〜９０％を含み、前記連続する非最適化セクションが、キメラコラーゲンＤＮＡ配列の長さの１０〜６０％を含み、前記連続する非最適化セクションが、非最適化ＤＮＡのみを含む、キメラコラーゲンＤＮＡ配列。
【請求項２】
前記連続するコドン最適化セクションが、コラーゲン分子のＣ末端のアミノ酸セグメントをコードする、請求項１に記載のキメラコラーゲンＤＮＡ配列。
【請求項３】
前記連続するコドン最適化セクションが、コラーゲン分子のＮ末端のアミノ酸セグメントをコードする、請求項１に記載のキメラコラーゲンＤＮＡ配列。
【請求項４】
請求項１に記載のキメラコラーゲンのＤＮＡ配列を含むベクターを含む、コラーゲン産生酵母株。
【請求項５】
水酸化コラーゲンの製造方法であって：
請求項４のコラーゲン産生酵母株を、コラーゲンを産生するのに十分な期間、培地中で増殖させることを含む、前記製造方法。
【請求項６】
前記酵母株が、Ｐｉｃｈｉａ、Ｃａｎｄｉｄａ、Ｋｏｍａｔａｇａｅｌｌａ、Ｈａｎｓｅｎｕｌａ、Ｓａｃｃｈａｒｏｍｙｃｅｓ、Ｃｒｙｐｔｏｃｏｃｃｕｓ及びそれらの組み合わせからなる群から選択される、請求項５に記載の方法。
【請求項７】
前記培地が、緩衝グリセロール複合培地、緩衝メタノール複合培地、及び酵母抽出ペプトンデキストロースからなる群から選択される、請求項５に記載の方法。
【請求項８】
前記期間が、２４時間〜７２時間の範囲である、請求項５に記載の方法。
【請求項９】
前記ベクターが、ｐＴＨＸ１構成的二方向性プロモーター又はｐＧＣＷ１４−ｐＧＡＰ１構成的二方向性プロモーターをさらに含む、請求項５に記載の方法。
【請求項１０】
前記ベクターが、抗生物質耐性をコードするＤＮＡ及び栄養要求性マーカーをコードするＤＮＡからなる群から選択される少なくとも１つの選択マーカーをさらに含む、請求項５に記載の方法。
【請求項１１】
前記キメラコラーゲンＤＮＡ配列がＩ型コラーゲンをコードし、前記連続するコドン最適化セクションがＰｉｃｈｉａ  ｐａｓｔｏｒｉｓでの発現のためにコドン最適化されている、請求項１に記載のキメラコラーゲンＤＮＡ配列。
【請求項１２】
前記キメラコラーゲンＤＮＡ配列がＩＩＩ型コラーゲンをコードし、前記連続するコドン最適化セクションがＰｉｃｈｉａ  ｐａｓｔｏｒｉｓでの発現のためにコドン最適化されている、請求項１に記載のキメラコラーゲンＤＮＡ配列。
【請求項１３】
前記キメラコラーゲンＤＮＡ配列がＰ４ＨＡ１、Ｐ４ＨＢ、またはその両方をコードするポリヌクレオチド配列に連結している、請求項１に記載のキメラコラーゲンＤＮＡ配列。
【請求項１４】
前記連続するコドン最適化セクションがＰｉｃｈｉａ  ｐａｓｔｏｒｉｓでの発現のためにコドン最適化されている配列番号１のセクションを含み、前記連続する非最適化セクションが最適化されていない配列番号１のセクションを含む、請求項１に記載のキメラコラーゲンＤＮＡ配列。
【請求項１５】
前記連続するコドン最適化セクションがキメラコラーゲンＤＮＡ配列の長さの６０〜９０％を含む、請求項１に記載のキメラコラーゲンＤＮＡ配列。
【請求項１６】
前記連続するコドン最適化セクションがキメラコラーゲンＤＮＡ配列の長さの６０〜８０％を含む、請求項１に記載のキメラコラーゲンＤＮＡ配列。
【請求項１７】
Ｐ４ＨＡ１、Ｐ４ＨＢ、またはその両方をコードするポリヌクレオチド配列をさらに含む、請求項４に記載の酵母株。
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技機に設けられた遊技部品を電気的に接続するための束配線を備え、
前記束配線は、
複数の配線と、
前記複数の配線の一方の端に接続される第１接続部と、
前記複数の配線のうち一部の配線の他方の端に接続される第２接続部と、
前記複数の配線のうち前記第２接続部に接続されない配線の他方の端に接続される第３接続部と、
を備え、
前記複数の配線のうち前記第２接続部に接続される配線の数と前記第３接続部に接続される配線の数は同じであり、
前記第２接続部の形状と前記第３接続部の形状は同一形状であり、
前記第２接続部および前記第３接続部はいずれも配線が接続される複数の端子について接続される配線に対応して番号が付されており、
前記第２接続部のｎ番の端子に接続される配線は黒色以外の特定色であり、
前記第２接続部のｎ番の端子以外の端子に接続される配線は黒色であり、
前記第３接続部のｎ番の端子に接続される配線は前記特定色と異なる黒色以外の特別色であり、
前記第３接続部のｎ番の端子以外の端子に接続される配線は黒色である、遊技機。
【手続補正２】
【補正対象書類名】明細書
【補正対象項目名】０００７
【補正方法】変更
【補正の内容】
【０００７】
（１）  遊技が可能な遊技機（例えば、スロットマシン、パチンコ遊技機）であって、
遊技機に設けられた遊技部品を電気的に接続するための束配線（例えば、配線ケーブル１）を備え、
前記束配線は、
複数の配線（例えば、配線６００）と、
前記複数の配線の一方の端に接続される第１接続部（例えば、第１接続部１００）と、
前記複数の配線のうち一部の配線の他方の端に接続される第２接続部（例えば、第２接続部２００）と、
前記複数の配線のうち前記第２接続部に接続されない配線の他方の端に接続される第３接続部（例えば、第３接続部３００）と、
を備え、
前記複数の配線のうち前記第２接続部に接続される配線の数と前記第３接続部に接続される配線の数は同じであり、
前記第２接続部の形状と前記第３接続部の形状は同一形状であり、
前記第２接続部および前記第３接続部はいずれも配線が接続される複数の端子について接続される配線に対応して番号が付されており、
前記第２接続部のｎ番の端子に接続される配線は黒色以外の特定色であり、
前記第２接続部のｎ番の端子以外の端子に接続される配線は黒色であり、
前記第３接続部のｎ番の端子に接続される配線は前記特定色と異なる黒色以外の特別色であり、
前記第３接続部のｎ番の端子以外の端子に接続される配線は黒色である。
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
遊技を行う遊技機であって、
所定期間に亘って、特定状態に制御可能な特定状態制御手段と、
前記特定状態に制御されているときに、該特定状態の制御が終了するまでの残り期間を示唆する残り期間示唆演出を実行可能な残り期間示唆演出実行手段と、
特典を付与することが可能な特典付与手段と、
前記特典が付与されることを示唆する特典付与示唆演出を実行可能な特典付与示唆演出実行手段とを備え、
前記残り期間示唆演出実行手段は、前記特定状態における特定タイミングから前記残り期間示唆演出の実行を開始可能であり、
前記特典付与示唆演出手段は、前記特定タイミングから前記特典付与示唆演出の実行を開始可能であり、
前記特定状態に制御されている場合において前記特典付与示唆演出が実行されるときには前記残り期間示唆演出の実行を制限する、遊技機。
【手続補正２】
【補正対象書類名】明細書
【補正対象項目名】０００７
【補正方法】変更
【補正の内容】
【０００７】
（１）遊技を行う遊技機（例えば、スロットマシン１、パチンコ遊技機）であって、
所定期間（例えば、１０ゲーム、３０ゲーム、１００ゲーム）に亘って、特定状態（例えば、ＡＲＴ、ＣＺ、確変状態、時短状態）に制御可能な特定状態制御手段（例えば、メイン制御部４１が実行するＡＲＴ、ＣＺに制御する処理）と、
前記特定状態に制御されているときに、該特定状態の制御が終了するまでの残り期間（例えば、残りゲーム数）を示唆する残り期間示唆演出（例えば、残りゲーム数示唆演出、残り５ゲーム示唆演出、残り４ゲーム示唆演出、残り３ゲーム示唆演出、残り２ゲーム示唆演出、最終ゲーム示唆演出）を実行可能な残り期間示唆演出実行手段（例えば、サブ制御部９１が実行するステップＳ１０８、Ｓ１１２、Ｓ１１３の処理）と、
特典（例えば、ボーナス当選、ＡＲＴ当選、ＡＲＴ上乗せ当選）を付与することが可能な特典付与手段（例えば、メイン制御部４１が実行する内部抽選処理、ＡＲＴ抽選処理、ＡＲＴ上乗せ抽選処理）と、
前記特典が付与されることを示唆する特典付与示唆演出（例えば、レア役当選示唆演出、バトル演出、ボーナス当選報知演出、フラッシュ演出、フリーズ演出）を実行可能な特典付与示唆演出実行手段（例えば、サブ制御部９１が実行するステップＳ１０９、Ｓ１１２、Ｓ１２２の処理）とを備え、
前記残り期間示唆演出実行手段は、前記特定状態における特定タイミングから前記残り期間示唆演出の実行を開始可能であり、
前記特典付与示唆演出手段は、前記特定タイミングから前記特典付与示唆演出の実行を開始可能であり、
前記特定状態に制御されている場合において前記特典付与示唆演出が実行されるときには前記残り期間示唆演出の実行を制限する（例えば、サブ制御部９１がステップＳ１０６、Ｓ１０７、Ｓ１０９の処理を実行する）。
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
遊技を行う遊技機において、
音を出力する音出力手段と、
遊技者が操作可能な操作手段と、
前記操作手段の操作が受け付け可能であることを報知可能な報知手段と、
前記音出力手段から出力する音の音量を設定するための操作にもとづいて音量設定制御を行う音量設定制御実行手段と、
所定制御を行うための操作にもとづいて所定制御を行う所定制御実行手段と、
第１状態と、前記第１状態と異なる第２状態と、前記第１状態および前記第２状態と異なる第３状態と、を含む複数種類の状態に制御可能な状態制御手段と、を備え、
前記音量設定制御実行手段は、前記第１状態、前記第２状態および前記第３状態において、前記音出力手段から出力する音の音量を設定するための操作を受け付けたときに前記音量設定制御を行い、
前記所定制御実行手段は、前記第２状態において、前記所定制御を行うための操作を受け付けたときに前記所定制御を行い、
前記報知手段は、
前記第１状態および前記第２状態において、前記音出力手段から出力する音の音量を設定するための操作を受け付け可能であることは報知せず、
前記第２状態において、前記所定制御を行うための操作を受け付け可能であることを報知し、
前記第３状態において、前記音出力手段から出力する音の音量を設定するための操作を受け付け可能であることを報知し、
前記音量設定制御実行手段は、前記第１状態、前記第２状態、および前記第３状態において前記音出力手段から出力する音の音量を設定するための操作が行われたときに、共通の音量設定画面を表示する、遊技機。
【手続補正２】
【補正対象書類名】明細書
【補正対象項目名】０００７
【補正方法】変更
【補正の内容】
【０００７】
（Ａ）遊技を行う遊技機において、
音を出力する音出力手段と、
遊技者が操作可能な操作手段と、
前記操作手段の操作が受け付け可能であることを報知可能な報知手段と、
前記音出力手段から出力する音の音量を設定するための操作にもとづいて音量設定制御を行う音量設定制御実行手段と、
所定制御を行うための操作にもとづいて所定制御を行う所定制御実行手段と、
第１状態と、前記第１状態と異なる第２状態と、前記第１状態および前記第２状態と異なる第３状態と、を含む複数種類の状態に制御可能な状態制御手段と、を備え、
前記音量設定制御実行手段は、前記第１状態、前記第２状態および前記第３状態において、前記音出力手段から出力する音の音量を設定するための操作を受け付けたときに前記音量設定制御を行い、
前記所定制御実行手段は、前記第２状態において、前記所定制御を行うための操作を受け付けたときに前記所定制御を行い、
前記報知手段は、
前記第１状態および前記第２状態において、前記音出力手段から出力する音の音量を設定するための操作を受け付け可能であることは報知せず、
前記第２状態において、前記所定制御を行うための操作を受け付け可能であることを報知し、
前記第３状態において、前記音出力手段から出力する音の音量を設定するための操作を受け付け可能であることを報知し、
前記音量設定制御実行手段は、前記第１状態、前記第２状態、および前記第３状態において前記音出力手段から出力する音の音量を設定するための操作が行われたときに、共通の音量設定画面を表示する。
別の観点の遊技機として、
遊技を行う遊技機（たとえば、遊技機１）において、
遊技者が操作可能な操作手段（例えば、十字キー７０）と、
前記操作手段の操作が受け付け可能であることを報知する報知手段（例えば、液晶表示器５１）と、
第１状態（たとえば、通常状態）および前記第１状態と異なる第２状態（たとえば、有利状態）において前記操作手段により第１操作（たとえば、左右キーの操作）が行われたときに該第１操作を受け付けて第１制御（たとえば、音量設定画像を表示させる制御）を行う第１制御手段（たとえば、図２（ａ）（ｃ）、図３（ａ）（ｃ）に示す部分、図６のＳｃ１１の処理を行う部分）と、
前記第２状態において前記操作手段により第２操作（たとえば、上下キーの操作）が行われたときに該第２操作を受け付けて第２制御（たとえば、楽曲設定画像を表示させる制御）を行う第２制御手段（たとえば、図４（ａ）（ｃ）に示す部分、図６のＳｃ１４の処理を行う部分）とを備え、
前記報知手段は、前記第２状態において、前記第１操作が受け付け可能であることは報知せずに前記第２操作が受け付け可能であることを報知する（たとえば、図２（ａ）、図３（ａ）、図４（ａ）に示す部分、図５のＳａ５の処理を行う部分）。
この構成によれば、第１状態および第２状態で可能な操作に対する報知は行わないため、遊技者に煩わしさを感じさせない一方で、第２状態で可能な操作に対する報知は行われるため、遊技者の利便性を向上させることができる。
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技制御手段と、
表示結果を導出させるために操作される導出操作手段と、
前記導出操作手段の操作態様を特定可能な操作情報を報知可能な報知手段と、
前記遊技制御手段から送信されるコマンドに基づいて前記報知手段を制御する演出制御手段と、を備え、
前記遊技制御手段は、
導出を許容する表示結果を決定する事前決定手段と、
表示結果を導出させる制御を行う導出制御手段と、
第１状態および第２状態を含む複数種類の状態のうちのいずれかに制御する状態制御手段と、を含み、
前記導出制御手段は、前記事前決定手段の決定結果が特定決定結果である場合、前記導出操作手段が第１操作態様で操作されたときと第２操作態様で操作されたときとに特定入賞を発生させる表示結果を導出させ、
前記報知手段は、前記事前決定手段の決定結果が前記特定決定結果である場合、前記第１状態であるときには前記第１操作態様を特定可能な第１操作情報と前記第２操作態様を特定可能な第２操作情報のうちのいずれも報知可能であるのに対して、前記第２状態であるときには前記第１操作情報と前記第２操作情報のうちの前記第２操作情報のみを報知し、
前記遊技制御手段は、前記導出操作手段の操作を受け付けており、かつ前記報知手段により操作情報が報知されている状態でスロットマシンへの電力供給が停止された後、電力供給が再開されたときに、該電力供給の再開に応じて前記導出操作手段の操作の受け付けを再開するよりも早いタイミングで前記導出操作手段の操作態様を特定可能な操作態様コマンドを前記演出制御手段に送信する、スロットマシン。
【手続補正２】
【補正対象書類名】明細書
【補正対象項目名】０００８
【補正方法】変更
【補正の内容】
【０００８】
（Ａ）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技制御手段と、
表示結果を導出させるために操作される導出操作手段と、
前記導出操作手段の操作態様を特定可能な操作情報を報知可能な報知手段と、
前記遊技制御手段から送信されるコマンドに基づいて前記報知手段を制御する演出制御手段と、を備え、
前記遊技制御手段は、
導出を許容する表示結果を決定する事前決定手段と、
表示結果を導出させる制御を行う導出制御手段と、
第１状態および第２状態を含む複数種類の状態のうちのいずれかに制御する状態制御手段と、を含み、
前記導出制御手段は、前記事前決定手段の決定結果が特定決定結果である場合、前記導出操作手段が第１操作態様で操作されたときと第２操作態様で操作されたときとに特定入賞を発生させる表示結果を導出させ、
前記報知手段は、前記事前決定手段の決定結果が前記特定決定結果である場合、前記第１状態であるときには前記第１操作態様を特定可能な第１操作情報と前記第２操作態様を特定可能な第２操作情報のうちのいずれも報知可能であるのに対して、前記第２状態であるときには前記第１操作情報と前記第２操作情報のうちの前記第２操作情報のみを報知し、
前記遊技制御手段は、前記導出操作手段の操作を受け付けており、かつ前記報知手段により操作情報が報知されている状態でスロットマシンへの電力供給が停止された後、電力供給が再開されたときに、該電力供給の再開に応じて前記導出操作手段の操作の受け付けを再開するよりも早いタイミングで前記導出操作手段の操作態様を特定可能な操作態様コマンドを前記演出制御手段に送信する、スロットマシン。
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
導出を許容する表示結果を決定する事前決定手段（たとえば、メイン制御部４１が実行する内部抽選処理）と、
表示結果を導出させるために操作される導出操作手段（たとえば、ストップスイッチ８Ｌ，８Ｃ，８Ｒ）と、
表示結果を導出させる制御を行う導出制御手段（たとえば、メイン制御部が実行するリール制御処理）と、
前記導出操作手段の操作態様（たとえば、押し順）を特定可能な操作情報（たとえば、ナビ情報）を報知可能な報知手段（たとえば、液晶表示器５１）と、
第１状態（たとえば、通常ＡＲＴ中）および第２状態（たとえば、上乗せ特化ゾーン中）を含む複数種類の状態のうちのいずれかに制御する状態制御手段（たとえば、メイン制御部４１により状態を制御するための処理）とを備え、
前記導出制御手段は、前記事前決定手段の決定結果が特定決定結果（たとえば、押し順ベル１に当選）である場合、前記導出操作手段が複数種類の特定操作態様（たとえば、「左中右」および「左右中」の押し順）のうちのいずれかで操作されたときに当該特定決定結果に対応する特定表示結果を導出するのに対して、前記導出操作手段が当該複数種類の特定操作態様のいずれとも異なる操作態様で操作されたときには当該特定表示結果を導出せず（たとえば、図２に示すように、押し順ベル１に当選した場合、正解手順「左中右」および「左右中」のいずれかで操作されたときには主役の図柄組合せが導出されるのに対して、正解手順「左中右」および「左右中」のいずれとも異なる不正解手順で操作されたときには主役の図柄組合せが導出されない）、
前記報知手段は、前記事前決定手段の決定結果が前記特定決定結果である場合、前記第１状態であるときには前記複数種類の特定操作態様のそれぞれを特定可能な複数種類の特定操作情報のうちのいずれも報知可能であるのに対して、前記第２状態であるときには前記複数種類の特定操作情報のうちの一部のみを報知する（たとえば、図２に示すように、押し順ベル１に当選した場合、通常ＡＲＴ中であるときには正解手順「左中右」および「左右中」のそれぞれを特定可能な複数のナビ情報のうちのいずれもが報知可能であるのに対して、上乗せ特化ゾーン中であるときには正解手順「左中右」を特定可能なナビ情報のみが報知される）。
【手続補正書】
【提出日】令和3年8月2日(2021.8.2)
【手続補正１】
【補正対象書類名】特許請求の範囲
【補正対象項目名】全文
【補正方法】変更
【補正の内容】
【特許請求の範囲】
【請求項１】
判別条件が成立した場合に所定の判別を実行する判別手段と、
その判別手段による判別結果を示す識別情報が表示される表示手段と、
その表示手段に第１判別結果を示す前記識別情報が表示された場合に、遊技者に有利となる特典遊技を実行する特典遊技実行手段と、
その特典遊技実行手段により実行された前記特典遊技が終了した後に、第１遊技状態と、その第１遊技状態よりも遊技者に有利な第２遊技状態とを設定可能な遊技状態設定手段と、
その遊技状態設定手段により設定される前記第２遊技状態の終了条件を複数設定可能な終了条件設定手段と、
その終了条件設定手段により設定された複数の前記終了条件のうち、成立し易い終了条件を判別する終了条件判別手段と、
前記第２遊技状態が継続して設定される期間を示唆するための示唆演出を実行する示唆演出実行手段と、
その示唆演出実行手段により実行される前記示唆演出の演出態様を設定する示唆演出態様設定手段と、を有し、
前記示唆演出態様設定手段は、前記終了条件判別手段により判別された前記終了条件に基づいて前記示唆演出の演出態様を設定するものであることを特徴とする遊技機。
【手続補正２】
【補正対象書類名】明細書
【補正対象項目名】０００２
【補正方法】変更
【補正の内容】
【０００２】
従来より、パチンコ機などの遊技機は、遊技盤面上に設けられた始動口に遊技球が入球すると、遊技の当否が抽選され、その抽選結果が当たりであった場合には、遊技者に有利となる特典遊技が実行されていた。
【手続補正３】
【補正対象書類名】明細書
【補正対象項目名】０００６
【補正方法】変更
【補正の内容】
【０００６】
この目的を達成するために請求項１記載の遊技機は、判別条件が成立した場合に所定の判別を実行する判別手段と、その判別手段による判別結果を示す識別情報が表示される表示手段と、その表示手段に第１判別結果を示す前記識別情報が表示された場合に、遊技者に有利となる特典遊技を実行する特典遊技実行手段と、その特典遊技実行手段により実行された前記特典遊技が終了した後に、第１遊技状態と、その第１遊技状態よりも遊技者に有利な第２遊技状態とを設定可能な遊技状態設定手段と、その遊技状態設定手段により設定される前記第２遊技状態の終了条件を複数設定可能な終了条件設定手段と、その終了条件設定手段により設定された複数の前記終了条件のうち、成立し易い終了条件を判別する終了条件判別手段と、前記第２遊技状態が継続して設定される期間を示唆するための示唆演出を実行する示唆演出実行手段と、その示唆演出実行手段により実行される前記示唆演出の演出態様を設定する示唆演出態様設定手段と、を有し、前記示唆演出態様設定手段は、前記終了条件判別手段により判別された前記終了条件に基づいて前記示唆演出の演出態様を設定するものである。
【手続補正４】
【補正対象書類名】明細書
【補正対象項目名】００１１
【補正方法】変更
【補正の内容】
【００１１】
請求項１記載の遊技機によれば、判別条件が成立した場合に所定の判別を実行する判別手段と、その判別手段による判別結果を示す識別情報が表示される表示手段と、その表示手段に第１判別結果を示す前記識別情報が表示された場合に、遊技者に有利となる特典遊技を実行する特典遊技実行手段と、その特典遊技実行手段により実行された前記特典遊技が終了した後に、第１遊技状態と、その第１遊技状態よりも遊技者に有利な第２遊技状態とを設定可能な遊技状態設定手段と、その遊技状態設定手段により設定される前記第２遊技状態の終了条件を複数設定可能な終了条件設定手段と、その終了条件設定手段により設定された複数の前記終了条件のうち、成立し易い終了条件を判別する終了条件判別手段と、前記第２遊技状態が継続して設定される期間を示唆するための示唆演出を実行する示唆演出実行手段と、その示唆演出実行手段により実行される前記示唆演出の演出態様を設定する示唆演出態様設定手段と、を有し、前記示唆演出態様設定手段は、前記終了条件判別手段により判別された前記終了条件に基づいて前記示唆演出の演出態様を設定するものである。
【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
表示領域を有する表示装置と、
前記表示領域に表示される識別図柄により当否判定結果を示す図柄制御手段と、
前記表示領域にて前記識別図柄の変動が開始される開始時点から、当該識別図柄が当否判定結果を示す態様で停止する停止時点までの変動中演出、および、当該変動中演出の一部としてリーチ演出を実行することが可能な演出実行手段と、
を備え、
一または複数種の前記リーチ演出の一種として、特定リーチ演出が実行可能であり、
ある変動中演出にて前記特定リーチ演出が実行され、当該特定リーチ演出の結末が不利結末に至ることで当否判定結果がはずれであるように見せかけた後、前記開始時点に戻ったかのような表示がなされた上で再び前記特定リーチ演出が実行され、当該特定リーチ演出の結末が前記不利結末とは異なる有利結末に至ることで当否判定結果が当たりであることが示される逆転演出が実行可能であることを特徴とする遊技機。
【手続補正書】
【提出日】令和3年4月12日(2021.4.12)
【手続補正１】
【補正対象書類名】特許請求の範囲
【補正対象項目名】全文
【補正方法】変更
【補正の内容】
【特許請求の範囲】
【請求項１】
発射装置により発射された遊技球が案内される遊技領域を備える遊技機において、
前記遊技領域を移動する遊技球が入球可能な第１入口部、第２入口部、及び、第３入口部と、前記第２入口部、及び、前記第３入口部に対応して設けられ、開位置と、閉位置との間を変位可能な第２開閉手段、及び、第３開閉手段とを備え、
前記第２入口部は、前記第２開閉手段が前記開位置とされることで、前記第２開閉手段により前記遊技領域を移動する遊技球が前記第２入口部に案内される開状態とされるとともに、前記第２開閉手段が前記閉位置とされることで、前記開状態よりも前記遊技領域を移動する遊技球が前記第２入口部に入球し難くなる閉状態とされ、
前記第３入口部は、前記第３開閉手段が前記開位置とされることで、前記第３開閉手段により前記遊技領域を移動する遊技球が前記第３入口部に案内される開状態とされるとともに、前記第３開閉手段が前記閉位置とされることで、前記開状態よりも前記遊技領域を移動する遊技球が前記第３入口部に入球し難くなる閉状態とされる構成であって、
前記第１入口部に入球した遊技球が案内される第１案内通路は、第１分岐通路と、第２分岐通路とを備え、
前記第１分岐通路を移動する遊技球と機械的に連動し、前記閉位置にある前記第２開閉手段を前記開位置とする第２開放連動手段と、
前記第２分岐通路を移動する遊技球と機械的に連動し、前記閉位置にある前記第３開閉手段を前記開位置とする第３開放連動手段と、
前記第２入口部に入球した遊技球と機械的に連動し、前記開位置にある前記第２開閉手段を前記閉位置とする第２閉鎖連動手段と、
前記第３入口部に入球した遊技球と機械的に連動し、前記開位置にある前記第３開閉手段を前記閉位置とする第３閉鎖連動手段と、
前記第１分岐通路、及び、前記第２分岐通路のうち一方に設けられた第１入球検知手段とを備えていることを特徴とする遊技機。
【請求項２】
前記遊技機はパチンコ機であることを特徴とする請求項１に記載の遊技機。
【手続補正２】
【補正対象書類名】明細書
【補正対象項目名】０００４
【補正方法】変更
【補正の内容】
【０００４】
ところで、遊技を進行させる上で、遊技球を始動入球手段等へ入球させる必要があるが、当該入球の具合が偏って全く入球しない状態ができてしまう等の事態の抑制等が望まれている。
【手続補正３】
【補正対象書類名】明細書
【補正対象項目名】０００５
【補正方法】変更
【補正の内容】
【０００５】
本発明は、上記例示した問題点等を解決するためになされたものであり、その目的は、入球手段への入球を安定させることのできる遊技機を提供することにある。
【手続補正４】
【補正対象書類名】明細書
【補正対象項目名】０００６
【補正方法】変更
【補正の内容】
【０００６】
本発明の遊技機は、
発射装置により発射された遊技球が案内される遊技領域を備える遊技機において、
前記遊技領域を移動する遊技球が入球可能な第１入口部、第２入口部、及び、第３入口部と、前記第２入口部、及び、前記第３入口部に対応して設けられ、開位置と、閉位置との間を変位可能な第２開閉手段、及び、第３開閉手段とを備え、
前記第２入口部は、前記第２開閉手段が前記開位置とされることで、前記第２開閉手段により前記遊技領域を移動する遊技球が前記第２入口部に案内される開状態とされるとともに、前記第２開閉手段が前記閉位置とされることで、前記開状態よりも前記遊技領域を移動する遊技球が前記第２入口部に入球し難くなる閉状態とされ、
前記第３入口部は、前記第３開閉手段が前記開位置とされることで、前記第３開閉手段により前記遊技領域を移動する遊技球が前記第３入口部に案内される開状態とされるとともに、前記第３開閉手段が前記閉位置とされることで、前記開状態よりも前記遊技領域を移動する遊技球が前記第３入口部に入球し難くなる閉状態とされる構成であって、
前記第１入口部に入球した遊技球が案内される第１案内通路は、第１分岐通路と、第２分岐通路とを備え、
前記第１分岐通路を移動する遊技球と機械的に連動し、前記閉位置にある前記第２開閉手段を前記開位置とする第２開放連動手段と、
前記第２分岐通路を移動する遊技球と機械的に連動し、前記閉位置にある前記第３開閉手段を前記開位置とする第３開放連動手段と、
前記第２入口部に入球した遊技球と機械的に連動し、前記開位置にある前記第２開閉手段を前記閉位置とする第２閉鎖連動手段と、
前記第３入口部に入球した遊技球と機械的に連動し、前記開位置にある前記第３開閉手段を前記閉位置とする第３閉鎖連動手段と、
前記第１分岐通路、及び、前記第２分岐通路のうち一方に設けられた第１入球検知手段とを備えていることを特徴としている。
【手続補正５】
【補正対象書類名】明細書
【補正対象項目名】０００８
【補正方法】変更
【補正の内容】
【０００８】
本発明によれば、入球手段への入球を安定させることができる。
【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
遊技者所有の遊技価値を用いて遊技を行う遊技機において、
遊技の進行を制御する遊技制御手段と、
遊技者所有の遊技価値に関する制御を行う価値制御手段と、を備え、
前記価値制御手段は、
前記遊技機に対応する遊技用装置と通信可能であって、
遊技者所有の遊技価値を記憶する記憶手段と、
前記記憶手段に記憶されている遊技価値を更新する更新手段とを含み、
前記遊技制御手段は、
前記価値制御手段と前記遊技用装置との間で通信が確立していない場合、前記更新手段によって前記記憶手段に記憶されている遊技価値が更新されないように遊技の進行を停止し、
前記価値制御手段は、前記遊技用装置との間の通信状況を特定可能なコマンドを周期的に前記遊技制御手段に送信する、遊技機。
【手続補正２】
【補正対象書類名】明細書
【補正対象項目名】０００３
【補正方法】削除
【補正の内容】
【手続補正３】
【補正対象書類名】明細書
【補正対象項目名】０００４
【補正方法】変更
【補正の内容】
【０００４】
【特許文献１】特開２００８−１４８７４８号公報
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
本発明は、特許文献１の遊技機の実情に鑑み考え出された遊技機を提供することである。
【手続補正６】
【補正対象書類名】明細書
【補正対象項目名】０００７
【補正方法】変更
【補正の内容】
【０００７】
（１）  遊技者所有の遊技価値を用いて遊技を行う遊技機において、
遊技の進行を制御する遊技制御手段と、
遊技者所有の遊技価値に関する制御を行う価値制御手段と、を備え、
前記価値制御手段は、
前記遊技機に対応する遊技用装置と通信可能であって、
遊技者所有の遊技価値を記憶する記憶手段と、
前記記憶手段に記憶されている遊技価値を更新する更新手段とを含み、
前記遊技制御手段は、
前記価値制御手段と前記遊技用装置との間で通信が確立していない場合、前記更新手段によって前記記憶手段に記憶されている遊技価値が更新されないように遊技の進行を停止し、
前記価値制御手段は、前記遊技用装置との間の通信状況を特定可能なコマンドを周期的に前記遊技制御手段に送信する。
遊技機は、以下のように構成されてもよい。
遊技者所有の遊技価値（たとえば、クレジット）を用いて遊技を行う遊技機（たとえば、Ｓ台２）において、
遊技の進行を制御する遊技制御手段（たとえば、主制御部１６１）と、
遊技者所有の遊技価値に関する制御を行う価値制御手段（たとえば、払出制御部１７１）とを備え、
前記価値制御手段は、
遊技者所有の遊技価値を記憶する記憶手段（たとえば、ＲＡＭ１７１ｃ）と、
前記記憶手段に記憶されている遊技価値を更新する更新手段（たとえば、払出制御部１７１が実行するクレジット加算処理およびクレジット減算処理）とを含み、
前記更新手段は、
遊技価値を遊技に用いるための操作（たとえば、ＭＡＸＢＥＴ操作）がされたときに、前記記憶手段に記憶されている遊技価値から当該操作に応じた遊技価値を最小単位（たとえば、１枚）ごとに減算する減算制御（たとえば、クレジット減算処理）を行い（たとえば、図９に示すように、ＭＡＸＢＥＴ操作がされたときに、ＲＡＭ１７１ｃに記憶されているクレジットから当該操作に応じたクレジット数を１ずつ減算するクレジット減算処理が行われる）、
遊技の結果に応じて遊技価値が付与される付与条件（たとえば、入賞の発生）が成立したときに、前記記憶手段に記憶されている遊技価値に付与される遊技価値の全てをまとめて加算する加算制御（たとえば、クレジット加算処理）を行う（たとえば、図１１に示すように、入賞が発生したときに、ＲＡＭ１７１ｃに記憶されているクレジットに付与されるクレジット数の全てをまとめて加算するクレジット加算処理が行われる）。
【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
表面シート、裏面シート、及びこれら両シート間に介在された吸収体を具備する吸収性本体と、該吸収性本体の非肌対向面側に配された外層シートとを備え、着用時に着用者の前後方向に一致する縦方向、及び該縦方向に直交する横方向とを有するセンサー付き吸収性物品であって、
前記裏面シートの非肌対向面には、センサー領域が設けられており、該センサー領域は、導電性インクによって形成された、複数の電極と、該複数の電極に接続された導線部と、外部の電圧供給装置が接続される接続端子部とを含んで構成されており、
前記センサー領域は、前記複数の電極及び前記導線部が前記外層シートによって被覆されており、
前記接続端子部は、前記吸収体の前記縦方向の前後端部の一方又は双方に、露出可能に配されている、センサー付き吸収性物品。
【請求項２】
前記外層シートは、破断誘導線を有し、該破断誘導線に沿って該外層シートを破断することにより、前記接続端子部を露出可能となっている、請求項１に記載のセンサー付き吸収性物品。
【請求項３】
前記外層シートは、前記裏面シートの非肌対向面と着脱不能に接合された固定部と、該非肌対向面と剥離可能に接合された粘着部とを有しており、
前記粘着部は前記接続端子部と重なっており、且つ該粘着部の周縁部に前記破断誘導線が配されている、請求項２に記載のセンサー付き吸収性物品。
【請求項４】
前記裏面シートに、前記接続端子部と該接続端子部に配した前記電圧供給装置とのずれを防止可能なずれ止め部が設けられており、前記接続端子部と重なる領域の該外層シートを除去して、該ずれ止め部が露出するようになされている、請求項２又は３に記載のセンサー付き吸収性物品。
【請求項５】
前記接続端子部が予め露出している、請求項１に記載のセンサー付き吸収性物品。
【請求項６】
前記裏面シートの肌対向面は、前記接続端子部と重なる位置が、接着剤によって前記吸収体に接合されている、請求項１〜５の何れか１項に記載のセンサー付き吸収性物品。
【請求項７】
前記センサー付き吸収性物品は、着用者の液排泄部に配される股下部を有しており、
前記股下部において、前記複数の電極が配された領域と前記吸収体とが重なった部分の前記横方向の長さが、前記股下部における該吸収体の前記横方向の長さの６０％以上である、請求項１〜６の何れか１項に記載のセンサー付き吸収性物品。
【請求項８】
前記複数の電極が配された領域が、前記吸収体の全域と重なっている、請求項１〜７の何れか１項に記載のセンサー付き吸収性物品。
【請求項９】
前記センサー付き吸収性物品は、尿とりパッドである、請求項１〜８の何れか１項に記載のセンサー付き吸収性物品。
【請求項１０】
表面シート、裏面シート、及びこれら両シート間に介在された吸収体を具備する吸収性本体と、該吸収性本体の非肌対向面側に配された外層シートとを備え、着用時に着用者の前後方向に一致する縦方向、及び該縦方向に直交する横方向とを有するセンサー付き吸収性物品の製造方法であって、
前記センサー付き吸収性物品は、前記裏面シートの非肌対向面に、センサー領域が設けられており、該センサー領域は、導電性インクによって形成された、複数の電極と、該複数の電極に接続された導線部と、外部の電圧供給装置が接続される接続端子部とを含んで構成されており、
前記センサー領域は、前記複数の電極及び前記導線部が前記外層シートによって被覆されており、
前記接続端子部は、前記吸収体の前記縦方向の前後端部の一方又は双方に、露出可能に配されており、
前記裏面シートの非肌対向面に、前記導電性インクを用いた印刷によって、前記センサー領域を形成する、センサー付き吸収性物品の製造方法。